(57)【要約】【課題】  レジ袋をゴミ入れ収納容器として使用する場合に、レジ袋の開口の維持と立位の維持とに困難性が伴う。不意の動作によりゴミ箱を転倒させて、ゴミ箱の内容物を床に散乱させてしまったりすることがある。さらに、ベッドを就寝のために使用している人や特にベッド上での生活を強いられている患者や要介護者にとって、望んだように容易にゴミ入れの設置位置が変えられることが望ましい。軟質な袋部材であるレジ袋は、日常生活でその再使用が望まれている。【解決手段】  本発明は、日常生活の中で多用されているレジ袋をゴミ入れ収納容器として使用するゴミ入れを提案する。枠部に懸架部を突設し、レジ袋の持ち手中央に融着して形成されている接合部を挿入するスリット部を懸架部中央に構成して、レジ袋を開口と立位との状態を保ちゴミ入れ収納容器として使用できるようにする。枠部と支持部とは、揺動可能な連結機構で連結するようにしている。【選択図】図１
2018118837.tif 000002
【特許請求の範囲】
【請求項１】
被取付体に支持される支持部と、該支持部に連結され少なくとも中央部が開口した枠部と、該枠部の左右両側で上方に突出し、袋部材の持ち手が取付けられる懸架部とを備えたことを特徴とするゴミ入れ。
【請求項２】
前記懸架部は、その中央部が最頂部とされ、両端部に向かって傾斜する構成とされることを特徴とする請求項1記載のゴミ入れ。
【請求項３】
前記懸架部の頂部には、下方に伸びるスリット部か形成されていることを特徴とする請求項１又は２記載のゴミ入れ。
【請求項４】
前記支持部と前記枠部とは、前記被取付体の傾斜角度に応じて揺動可能とする揺動機構を介して連結されていることを特徴とする請求項１ないし３記載のゴミ入れ。
【発明の詳細な説明】
【技術分野】
【０００１】
この発明はゴミ入れに関し、特に袋部材をごみ入れ収納容器として使用したベッドサイドのゴミ入れである。
【背景技術】
【０００２】
ゴミ入れ収納容器として使用されている袋部材は、ゴミ箱の内側に装てんして使用したり、特許文献１では、一対の平行に形成された凸型掛止にレジ袋の一対の持ち手をそれぞれ引っ掛けて、開口と立位の状態を保って使用されている。
【０００３】
特許文献２では、メッシュボトムの線体で構成される床面を有するベッドにおいて、線体に引っ掛ける引っ掛け棒に支持された物品の支持構造がある。
【先行技術文献】
【特許文献】
【０００４】
【特許文献１】特開２０１０−２６０６５７
【特許文献２】特開２０００−１６６７０２
【発明の概要】
【発明が解決しようとする課題】
【０００５】
ゴミ入れは、任意の場所に通常地面や室内の床面上に置かれて使用されている。そのためにゴミ箱を転倒させてゴミ箱の内容物を散乱させるトラブルが生じることがある。また、設置場所が日常茶飯事に自由に変更されることが多いために、一定の場所に設置されていることを望む使用者にとっては不便を生じている。
【０００６】
また、ベッドの床上にある者がゴミを捨てようとする際に、ゴミ入れが手元になくまた見えない場所にある場合には、身を起してゴミ箱の場所を確認したり、ベッドから離れた位置にある場合には、ベッドから降りてゴミを捨てる必要がある。
【０００７】
また、袋部材を持ち運びのための一時的な収納容器として使用する場合には、袋部材に柔軟性があるという性質による開口の維持や立位の維持の難しさが問題になることは少ない。しかし、日常生活に使用するゴミ入れの収納容器として使用する場合には、開口の維持と立位の維持を図るための補助用具による支えを必要とされている。
【０００８】
さらに、軟質な袋部材として大量に利用されているいわゆるレジ袋を、ゴミ入れ収納容器として使用するには、レジ袋の持ち手の中央部分に形成されている接合部が邪魔になって懸架できなくて、レジ袋の持ち手を何かの突起物に引っ掛けて利用する使用方法しかなかった。この場合には袋部材の開口の幅が広くすることができず、また引っ掛けられて吊り下げの状態でしかなく吊り下げの安定性も十分なものではなかった。
【０００９】
また、ゴミ箱では日常長期間にわたって使用するにつれて汚れて不衛生になりがちであるという問題がある。
【課題を解決するための手段】
【００１０】
前記した課題を解決するために本発明のゴミ入れでは、ゴミ入れを使用者が希望するベッドサイトの任意の位置に設置することを可能にするために、ベッド床部とベッドに敷いてある寝具の間に容易に抜き差しできる支持部を構成し、使用者の望みの位置に挿入して設置できる支持部を提案する。
【００１１】
持ち手を有しかつこの持ち手が二つ折りで折りたたみの形状をなしていて、さらに持ち手の中央に接合の形状をなしている軟質な袋部材すなわちレジ袋をゴミ入れ収納容器とすることを可能とする。このために、枠部の両側の辺に並列に配置した一対の懸架部を構成し、さらに、その懸架部の中央頂部にスリット部を構成して、レジ袋を懸架しようとするとき邪魔になるレジ袋の持ち手中央にある接合部をそのスリット部の凹の部分に挿入して、レジ袋の持ち手を懸架可能にするスリット部を構成した懸架部を提案する。
【００１２】
ベッドを傾斜させて使用している人にとって、本発明のゴミ入れの開口面がベッドの傾斜と同じ角度で傾斜してしまうのを防ぐために、被取付体としてのベッドに支持される前記支持部と前記懸架部を構成している枠部との連結機構が、傾斜したベッド床部の傾斜角度を補正することが可能な揺動連結構造を持つ連結部を提案する。
【発明の効果】
【００１３】
本発明は、軟質なレジ袋をゴミ入れ収納容器として使用する際に、ゴミ入れ収納容器としてのレジ袋の開口の維持と立位の維持を実現でき、レジ袋をそのまま単体としてゴミ入れとして使用する場合とくらべるとゴミ入れ収納容器としての機能を向上させることができる。
【００１４】
また、ベッドが置かれている室内で、ベッドサイトの一定の任意の位置にゴミ入れが設置することができるために、ゴミ入れを転倒させてゴミ入れの内容物を散乱させてしまうトラブルを避けることができる。
【００１５】
特に本発明によるゴミ入れは、ベッドサイトの任意の一定の場所に設置できることにより、ベッド上での生活を強いられている患者や要介護者にとって、目が届き手が届く位置にゴミ入れを設置でき、また姿勢の変化に応じて設置位置を容易に変更できるので、ベッドでの生活でのゴミ処理が楽になる。また健常者にとっても前記の利便性を患者や要介護者と同じように享受できる。
【００１６】
また、本発明のゴミ入れは、ゴミ入れ収納容器としてのレジ袋を取り換えたいときには、レジ袋を本発明のゴミ入れから取り外し、別の未使用のレジ袋と交換して装着することができるために、衛生的な生活ができる。
【図面の簡単な説明】
【００１７】
【図１】ゴミ入れ斜視図
【図２】レジ袋を装着したゴミ入れ斜視図
【図３】枠部側から見た連結部正面図
【図４】図３のＸ−Ｙ断面図
【図５】レジ袋持ち手を示す斜視図
【図６】レジ袋を懸架部に装着した状態を示す斜視図
【図７】ゴミ入れをベッドに設置した状態を示す斜視図
【図８】傾斜したベッドとゴミ入れとの関係を示す斜視図
【発明を実施するための形態】
【００１８】
本発明の実施形態を図面に基づいて説明する。本発明のゴミ入れ２２は、被取付体であるベッド２３のベッド床部２０とベッド２３に敷いてある寝具２１との間にゴミ入れ２２の支持部１を挿入して支持されて被取付体であるベッド２３に設置して使用されるものである。そして、本発明のゴミ入れ２２は、以下の主だった機構をもって構成されている。支持部１と枠部２とは連結部５を介して連結されている。そして、枠部２には枠部２の両側の辺に懸架部３が突設されている。さらに、懸架部３には、ゴミ入れ収納容器として使用するレジ袋１９の持ち手１４にある接合部１８を挿入して袋部材としてのレジ袋１９を懸架可能とするスリット部４が構成されている。以下順次説明をしていく。
【００１９】
本発明のゴミ入れ２２は合成樹脂で成形されているが、この材質は金属でも木質でもよく、また、その材質を組み合わせたものでもよい。またこの発明を実施するための形態では、ゴミ入れ収納容器として合成樹脂で成形されているレジ袋１９として説明しているが、本発明ゴミ入れ２２に使用する袋部材は、布製でも紙製でもよい。
【００２０】
支持部１はＬ字状の形状をしている。支持部１のＬ字状の長辺は、被取付体であるベッド２３のベッド床部２０とベッド２３に敷いてある寝具２１との間に挿入して支持される平板状の細長い形状をしている。この平板状の細長い形状をしている支持部１のＬ字状の長辺を、ベッド２３のベッド床部２０とベッド２３に敷いてある寝具２１との間に容易に抜き差しできるので、使用者は設置を望むベッド２３の任意の場所に安定して設置できる。また、日常的に生じる意図しない動作によって、支持部１のＬ字状の長辺がベッド２３から容易に抜けて脱落しないような幅と長さを有している。
【００２１】
また、支持部１のＬ字状の短辺には、支持部１と枠部２とを連結するための連結部５が構成されている。図３、図４により、連結部５の構成と構造とを説明する。支持部１のＬ字状の短辺には、Ｌ字状の短辺の横に外側に向けて軸として機能する円柱形の連結凸部６を突設してある。さらに、この連結凸部６には割ピン穴８があけられている。割ピン穴８があけられているL字状の短辺からの間隔は、ワッシャー１０の２個分の厚さと枠部２の厚さを加えた厚さの間隔が確保されている。また、割ピン穴８は、連結凸部６の上部から下方に向けて、割ピン９を通すことが可能な大きさで割ピン穴８があけられている。また、枠部２には連結凸部６の円形で円の直径が連結凸部６を通して連結可能な大きさで連結穴７があけられている。
【００２２】
支持部１と枠部２とは、以下の組み立てで連結されている。まず、連結に際して懸架部３が上向きになるように連結するようにする。次に、連結凸部６にワッシャー１０を組み込み、次に連結凸部６を枠部２にあけてある連結穴７に枠部２の外側から通し、さらに、ワッシャー１０を連結凸部６に組み込む。さらに、割ピン９を割ピン穴８に挿入して、割ピン９の先端を広げて割ピン９を固定する。このように組み立てると支持部１と枠部２とが連結凸部６を中心に揺動できる揺動可能な連結構造を持つ連結部５ができ連結される。
【００２３】
さらに連結部５には、前記支持部１のL字状の短辺にストッパー１１が連結凸部６と同じ方向に連結凸部６の下方に突設してある。このストッパー１１は、支持部１と枠部２を連結して互いに揺動したときに、枠部２の下面とストッパー１１の上面との間に揺動できるための間隔をあけて突設されている。支持部１と枠部２とが互いに揺動した場合に、枠部２の下面がストッパー１１の上面に当たり、前記揺動可能な間隔を超えてそれ以上の揺動ができないように構成されている。
【００２４】
枠部２には上方に突設した懸架部３が連結部５を挟んで枠部２の左右両側の辺に一対構成されている。懸架部３は、上方にアーチ状に突出して構成されており、その懸架部３の中央部が最頂部になっており、懸架部３の中央頂部には下方に伸びるスリット部４が構成されている。このアーチ状の懸架部３は、袋部材としてのレジ袋１９の持ち手１４を懸架する傾斜部１２を懸架部３の中央頂部から構成していて、下降しながら懸架部３の両下端と前記枠部２の両コーナーとに固定されて取り付けられている。
【００２５】
さらに、前記したように、懸架部３の頂部から下方に向けてスリット部４が構成されている。このスリット部４は、レジ袋１９を懸架しようとするときに、懸架状態になることを邪魔をしている持ち手１４の中央部に形成されている接合部１８をスリット部４の凹の部分に挿入して懸架できるために構成されている。
【００２６】
図５は、レジ袋１９の持ち手１４の形状において以下の特徴を有している図である。まず一つ目に、レジ袋１９の持ち手１４の横幅を二つ折りにした折り目１７を持ち手１４の中央に持っている。山折り側の面を持ち手表面１５として谷折り側の面を持ち手裏面１６として、持ち手裏面１６の面を合わせて折りたたみの形状の構造をなしている。第二に、持ち手１４の中央頂部に持ち手１４に使用されている合成樹脂を四枚重ねて融着された接合部１８が構成されている。
【００２７】
図６はゴミ入れ収納容器として使用するレジ袋１９の持ち手１４を枠部２の上方に向かって突設された懸架部３に装着した斜視図である。持ち手１４の中央部にある接合部１８は懸架部３の頂部に構成されているスリット部４の凹の部分に挿入され、懸架部３の傾斜部１２を持ち手裏面１６の面によって包み込まれるように懸架されている。
【００２８】
前記二つの特徴を有する持ち手１４を持つレジ袋１９を使用して、本発明のゴミ入れ２２にレジ袋１９を以下のように装着する作業を行う。まず、ゴミ入れ収納容器としてのレジ袋１９の一対の持ち手１４を広げてレジ袋１９を開口させ、レジ袋１９で枠部２を下方から上方に向けて包み込むようにして、懸架部３と持ち手１４の左右をそれぞれがペアになるようにする。さらに、スリット部４の凹になっている部分に接合部１８を挿入する。そして、傾斜部１２のアーム状の形状に持ち手１４の折り目１７を添わせて装着する。すなわち、懸架部３のアーム状になっている傾斜部１２を持ち手裏面１６で包み込むように懸架部３に装着する。
【００２９】
そして、もう一方の懸架部３に前記レジ袋１９のもう一方の持ち手１４を前記作業と同じように行いレジ袋１９を装着すると、本発明のゴミ入れ２２にゴミ入れ収納容器としてのレジ袋１９が装着され、本発明のゴミ入れ収納容器としてのレジ袋１９の開口状態と立位状態ができて本発明のゴミ入れ２２が実現される。
【００３０】
また、レジ袋１９のように接合部１８を有する持ち手１４と異なり、接合部１８を持たない持ち手１４の袋部材をこのゴミ入れ２２の収納容器として使用する場合には、スリット部４の機能を使用することなく袋部材の持ち手裏面１６に包み込むように折り目１７を懸架部３の傾斜部１２に添わせて装着すれば、レジ袋１９を装着するときと同じように装着して使用できる。
【００３１】
図７は被取付体であるベッド２３のベッド床部２０とベッド２３に敷いてある寝具２１との間にゴミ入れ収納容器としてのレジ袋１９を懸架した本発明のゴミ入れ２２を設置したものである。支持部１をベッド床部２０とベッド２３に敷いてある寝具２１との間に容易に抜き差し可能であるためにゴミ入れ２２を使用している人の都合に応じて、ベッド２３の左右のサイトにかかわらず、またベッドサイトの頭側であったり足もと側であったりと簡単に支持部１を被取付体であるベッド２３に抜き差しすることによって設置位置を変更できる。
【００３２】
また、被取付体であるベッド２３のベッド床部２０とベッド２３に敷いてある寝具２１との間に支持部１を挿入することにより、支持部１の取り付け位置の高さが、被取付体であるベッド２３の脚の高さより高くなり、本発明のゴミ入れ２２にレジ袋１９を懸架して吊り下げたときに、懸架部３の最頂部からレジ袋１９の底までの高さより、懸架部３の最頂部から室内の床面までの高さが上回ることができ、ゴミ入れ２２としての立位の状態を維持できる高さが確保でき、ゴミ入れ２２として使用することができる。
【００３３】
図８は、ベッド床部２０が傾斜されている状態でベッド床部２０とベッド２３に敷いてある寝具２１との間に支持部１が挿入され本発明のゴミ入れ２２が設置されている図である。ベッド床部２０が傾斜している角度の分だけ支持部１の平板状の細長い形状の部分も傾斜した状態になる。枠部２と支持部１は、連結凸部６が連結穴７に挿入され連結されていて、連結凸部６を中心にしてＣ方向やＤ方向に揺動が可能となる連結部５になっている。図８の場合には、軸である連結凸部６を中心にして枠部２がＣの方向に室内の床面と水平をとるために揺動して角度が補正されている。このことにより本発明のゴミ入れ２２が、床面と水平になり開口の維持が保たれ安定した懸架状態が維持される。また不意の動作によって前記枠部２に強い揺動の力が加えられて強い揺動動作が生じても、枠部２の底面がストッパー１１の上面に当たることにより、揺動可能間隔以上の揺動が抑えられて、ゴミ入れ収納容器としてのレジ袋１９が本発明のゴミ入れ２２から脱落したり、レジ袋１９にすでに収納されているゴミが散乱しないようになる。
【符号の説明】
【００３４】
１    支持部
２    枠部
３    懸架部
４    スリット部
５    連結部
６    連結凸部
７    連結穴
８    割ピン穴
９    割ピン
１０  ワッシャー
１１  ストッパー
１２  傾斜部
１４  持ち手
１５  持ち手表面
１６  持ち手裏面
１７  折り目
１８  接合部
１９  レジ袋
２０  ベッド床部
２１  寝具
２２  ゴミ入れ
２３  ベッド
【図１】
2018118837.tif 000003
【図２】
2018118837.tif 000004
【図３】
2018118837.tif 000005
【図４】
2018118837.tif 000006
【図５】
2018118837.tif 000007
【図６】
2018118837.tif 000008
【図７】
2018118837.tif 000009
【図８】
2018118837.tif 000010